(57)【要約】【課題】オブジェクト単位でウェブ画面を外部表示装置に拡大表示させることが可能であり、ユーザの利便性を格段に向上させること。【解決手段】情報取得部２０３は、ウェブ画面の画面サイズを示すパラメータを含むオブジェクトにより構成されるウェブ画面表示用情報を取得する。パラメータ変更部２０７は、ウェブ画面の画面サイズが大きくなるようにパラメータを変更する。データ処理部２１１は、オブジェクトに対して復号処理を行うことにより、変更したパラメータによって特定される画面サイズの画面情報を生成する。通信部２１４は、生成した画面情報を外部に出力する。【選択図】図２
2010009516.tif 000002
【特許請求の範囲】
【請求項１】
ウェブ画面の画面サイズを示すパラメータを含むオブジェクトにより構成されるウェブ画面表示用情報を取得する取得手段と、
前記画面サイズが大きくなるように前記パラメータを変更する変更手段と、
前記オブジェクトに対する復号処理を行うことにより、変更した前記パラメータによって特定される前記画面サイズの画面情報を生成するデータ処理手段と、
生成した前記画面情報を外部に出力する出力手段と、
を具備する端末装置。
【請求項２】
前記変更手段は、前記ウェブ画面の一部の画面の前記画面サイズが大きくなるように前記パラメータを変更し、
前記データ処理手段は、前記一部の画面に対応する前記オブジェクトに対する復号処理を行うことにより、前記一部の画面の前記画面情報を生成する、
請求項１記載の端末装置。
【請求項３】
前記ウェブ画面を表示する表示手段を具備し、
前記取得手段は、前記表示手段に表示される前記ウェブ画面中のリンク情報のリンク先の前記ウェブ画面表示用情報を取得する、
請求項１記載の端末装置。
【請求項４】
変更する前の前記パラメータによって特定される前記画面サイズの画面を表示する表示手段と、
前記出力の指示を外部から受け付ける入力手段と、をさらに具備し、
前記取得手段は、前記入力手段の操作中に前記表示手段に表示する画面中のリンク先情報が選択された際に、選択された前記リンク先情報のリンク先の前記ウェブ画面表示用情報を取得する、
請求項１記載の端末装置。
【請求項５】
変更する前の前記パラメータによって特定される前記画面サイズの画面を表示する表示手段と、
前記出力の指示を外部から受け付ける入力手段と、をさらに具備し、
前記取得手段は、前記入力手段の操作後に前記表示手段に表示する画面中のリンク先情報が選択された際に、選択された前記リンク先情報のリンク先の前記ウェブ画面表示用情報を取得する、
請求項１記載の端末装置。
【請求項６】
前記データ処理手段は、動画の前記オブジェクトに対する復号処理を行うことにより、動画の前記画面情報を生成する、
請求項１記載の端末装置。
【請求項７】
ネットワークアプリケーション画面の画面サイズを示すパラメータを含むオブジェクトを取得する取得手段と、
前記画面サイズが大きくなるように前記パラメータを変更する変更手段と、
前記オブジェクトに対する復号処理を行うことにより、変更した前記パラメータによって特定される前記画面サイズの画面情報を生成するデータ処理手段と、
生成した前記画面情報を外部に出力する出力手段と、
を具備する端末装置。
【請求項８】
前記データ処理手段は、前記ネットワークアプリケーション画面に対応する前記オブジェクトに対する復号処理を行うことにより前記画面情報を生成する、
請求項７記載の端末装置。
【請求項９】
ウェブ画面の画面サイズを示すパラメータを含むオブジェクトにより構成されるウェブ画面表示用情報を取得するステップと、
前記画面サイズが大きくなるように前記パラメータを変更するステップと、
前記オブジェクトを実行することにより、変更した前記パラメータによって特定される前記画面サイズの画面情報を生成するステップと、
を具備するデータ処理方法。
【請求項１０】
ネットワークアプリケーション画面の画面サイズを示すパラメータを含むオブジェクトを取得するステップと、
前記画面サイズが大きくなるように前記パラメータを変更するステップと、
前記オブジェクトに対する復号処理を行うことにより、変更した前記パラメータによって特定される前記画面サイズの画面情報を生成するステップと、
を具備するデータ処理方法。
【発明の詳細な説明】
【技術分野】
【０００１】
本発明は、端末装置及びデータ処理方法に関し、特に外部の表示装置と接続して外部の表示装置に画面を表示させる端末装置及びデータ処理方法に関する。
【背景技術】
【０００２】
近年、携帯電話の処理性能は向上し、パーソナルコンピュータ用に作られたウェブページを閲覧することのできるウェブブラウザを搭載した機種も商品化されている。さらに、無線ＬＡＮや公衆無線網を経由してインターネットにアクセスできるモバイル情報端末も出現してきている。これら携帯電話やモバイル情報端末等の端末装置は、家から持ち出すことを想定して作られているため、電車内、公園または街中のカフェなど場所を選ばずに利用することができ、ユーザにとっては大変便利である。
【０００３】
しかしながら、端末装置は、持ち出して利用することを重視するために、サイズが制限される。そして、端末装置のディスプレイは、端末のサイズに合わせて３インチ前後のものが一般に用いられており、情報量の多いウェブ画面を見る場合など、文字が非常に細かくなってしまい、読むことができない場合がある。この対策として、端末装置では、大きなフォントの文字に切り替えたり、拡大モードを使うことなどが行われている。しかし、この場合には、画面の一部しか一度に見ることができず、スクロールを何度も繰り返すことになり、却って内容の把握が困難となることも多い。
【０００４】
端末装置のディスプレイのサイズが小さいことに起因する使い難さに対する対策として、家やホテルに居る場合は、テレビモニタに表示させることにより、使い難さを解消する技術が既に実用化されている。この技術は、テレビ出力機能やＡＶ出力機能と呼ばれ、端末装置とテレビをビデオケーブルで接続することにより、端末装置のディスプレイの画面出力をテレビの外部ビデオ入力として、端末装置のディスプレイの画面をテレビのディスプレイに表示するものである。その結果、端末装置のディスプレイに表示される画像をテレビの大きな画面で見ることができるようになる。しかし、これは、端末装置のディスプレイに表示される画面イメージを拡大表示しただけであり、テレビのディスプレイの解像度に合わせて解像度が増加するわけではなく、結果としてぼやけたようなイメージとなってしまう。
【０００５】
特許文献１は、この課題を解決することを目的として、大画面の外部表示装置に端末装置の画面解像度よりも高解像度の画像を表示する技術について開示する。通常、ブラウザを用いて端末装置でパーソナルコンピュータ用に作られたウェブ画面を見る場合は、ウェブ画面の一部しか見ることができない。これに対して、外部表示装置に切り替えて外部表示装置でウェブ画面を見る場合は、本来の作成者の意図（パソコンで閲覧する際のレイアウト）で見ることが可能になる。特許文献１によれば、大画面の外部表示装置に端末装置の画面解像度よりも高解像度の画像を表示することができるようになる。
【特許文献１】特開２００７−９５０８０号公報
【発明の開示】
【発明が解決しようとする課題】
【０００６】
しかしながら、特許文献１においては、解像度を高くした画像を外部表示装置に表示させるだけであるため、ユーザに対して、鮮明な画像を大画面に表示することができるというメリット以上のメリットを提供できないという問題がある。
【０００７】
本発明はかかる点に鑑みてなされたものであり、オブジェクト単位でウェブ画面を外部表示装置に拡大表示させることが可能であり、ユーザの利便性を格段に向上させることができる端末装置及びデータ処理方法を提供することを目的とする。
【課題を解決するための手段】
【０００８】
本発明の端末装置は、ウェブ画面の画面サイズを示すパラメータを含むオブジェクトにより構成されるウェブ画面表示用情報を取得する取得手段と、前記画面サイズが大きくなるように前記パラメータを変更する変更手段と、前記オブジェクトに対する復号処理を行うことにより、変更した前記パラメータによって特定される前記画面サイズの画面情報を生成するデータ処理手段と、生成した前記画面情報を外部に出力する出力手段と、を具備する構成を採る。
【０００９】
また、本発明の端末装置は、ネットワークアプリケーション画面の画面サイズを示すパラメータを含むオブジェクトを取得する取得手段と、前記画面サイズが大きくなるように前記パラメータを変更する変更手段と、前記オブジェクトに対する復号処理を行うことにより、変更した前記パラメータによって特定される前記画面サイズの画面情報を生成するデータ処理手段と、生成した前記画面情報を外部に出力する出力手段と、を具備する構成を採る。
【００１０】
本発明のデータ処理方法は、ウェブ画面の画面サイズを示すパラメータを含むオブジェクトにより構成されるウェブ画面表示用情報を取得するステップと、前記画面サイズが大きくなるように前記パラメータを変更するステップと、前記オブジェクトに対する復号処理を行うことにより、変更した前記パラメータによって特定される前記画面サイズの画面情報を生成するステップと、を具備するようにした。
【００１１】
また、本発明のデータ処理方法は、ネットワークアプリケーション画面の画面サイズを示すパラメータを含むオブジェクトを取得するステップと、前記画面サイズが大きくなるように前記パラメータを変更するステップと、前記オブジェクトに対する復号処理を行うことにより、変更した前記パラメータによって特定される前記画面サイズの画面情報を生成するステップと、を具備するようにした。
【発明の効果】
【００１２】
本発明によれば、オブジェクト単位でウェブ画面を外部表示装置に拡大表示させることが可能であり、ユーザの利便性を格段に向上させることができる。
【発明を実施するための最良の形態】
【００１３】
以下、本発明の実施の形態について、図面を参照して詳細に説明する。
【００１４】
（実施の形態）
図１は、本発明の実施の形態に係る通信システム１００を示す図である。
【００１５】
通信システム１００は、ウェブサーバ１０１、ネットワーク１０２、端末装置１０３及び外部表示装置１０４から主に構成される。端末装置１０３は、ウェブサーバ１０１にアクセスしてウェブ画面表示用情報を取得してウェブ画面を表示する。外部表示装置１０４は、端末装置１０３がウェブサーバ１０１から取得したウェブ画面表示用情報のウェブ画面の一部又は全部の画面情報を端末装置１０３から受信して、受信した画面情報を表示する。本構成において、ネットワーク１０２が有線であるか無線であるかは問題でなく、ある区間は有線、ある区間は無線というように実装されるのが一般的である。また、端末装置１０３と外部表示装置１０４との物理的な位置関係は、例えば同じ部屋の中などの極めて近い距離が想定される。また、端末装置１０３と外部表示装置１０４をつなぐネットワーク１０２は必ずしもＰＡＮ（Personal Area Network）である必要はなく、無線ＬＡＮなどであっても良い。
【００１６】
次に、端末装置１０３の構成について、図２を用いて説明する。図２は、端末装置１０３の構成を示すブロック図である。端末装置１０３は、入力部２０１、外部出力モード管理部２０２、情報取得部２０３、情報解析部２０４、記憶部２０５、データ処理部２１１、イメージバッファ２１２、表示部２１３、通信部２１４、データ取得部２１５及び画面生成部２５０から主に構成される。
【００１７】
画面生成部２５０は、画面制御部２０６、パラメータ変更部２０７、プラグイン呼出部２０８、ウェブ画面生成・記憶部２０９及び出力画面生成部２１０を含む。
【００１８】
入力部２０１は、ユーザからの入力デバイスである。具体的には、入力部２０１は、端末装置１０３から外部表示装置１０４へデータを出力する指示を、ユーザから受けることにより、受け取った指示を入力情報として外部出力モード管理部２０２へ出力する。また、入力部２０１は、ウェブサーバ１０１からウェブ画面表示用情報を取得する指示を、ユーザから受けることにより、受け取った指示を入力情報として情報取得部２０３へ出力する。また、入力部２０１は、ウェブ画面の一部のみを拡大表示する指示またはウェブ画面全体を拡大表示する指示を、ユーザから受けることにより、受け取った指示を入力情報として外部出力モード管理部２０２へ出力する。また、入力部２０１は、リンク先情報を選択する指示を、ユーザから受けることにより、受け取った指示を情報取得部２０３へ出力する。
【００１９】
外部出力モード管理部２０２は、入力部２０１から入力した入力情報による指示を受けた際に、外部表示装置１０４へデータを出力するモードである外部出力モードを設定する。また、外部出力モード管理部２０２は、入力部２０１から入力情報により指示を受けるまでは、外部表示装置１０４へデータを出力しないモードである通常出力モードを設定する。そして、外部出力モード管理部２０２は、設定したモードに応じて、データの出力を管理する。また、外部出力モード管理部２０２は、ウェブ画面の一部のみを拡大表示する指示またはウェブ画面全体を拡大表示する指示の入力情報が入力部２０１から入力した際に、入力した入力情報を保持する。
【００２０】
ウェブ画面表示用情報取得手段としての情報取得部２０３は、入力部２０１から入力した入力情報による指示を受けて、ウェブサーバ１０１からウェブ画面表示用情報を取得する。また、情報取得部２０３は、リンク先情報を選択する入力情報が入力部２０１から入力した際に、記憶部２０５に記憶されているウェブ画面表示用情報の中から、リンク先であるＵＲＬを選択する。そして、情報取得部２０３は、選択したリンク先のウェブ画面表示用情報をウェブサーバ１０１から取得する。また、情報取得部２０３は、取得したウェブ画面表示用情報を情報解析部２０４へ出力する。
【００２１】
情報解析部２０４は、情報取得部２０３から入力したウェブ画面表示用情報をパーズしてパーズ情報を生成する。そして、情報解析部２０４は、生成したパーズ情報をパラメータ変更部２０７へ出力する。また、情報解析部２０４は、外部出力モード管理部２０２に問い合わせを行い、外部出力モードまたは通常出力モードに応じて、記憶部２０５の所定の記憶領域にパーズ情報を記憶する。ここで、ウェブ画面表示用情報は、ウェブ画面の画面サイズを示すパラメータを含むオブジェクトにより構成され、例えばＨＴＭＬまたはＸＨＴＭＬである。また、パーズとは、取得したウェブ画面表示用情報を構成する複数のオブジェクトをオブジェクト毎に切り出す処理を意味する。また、パーズ情報とは、ウェブ画面表示用情報から切り出したオブジェクト毎の情報である。
【００２２】
記憶部２０５は、情報解析部２０４から入力したウェブ画面表示用情報を記憶する。
【００２３】
画面制御部２０６は、パラメータ変更部２０７からパーズ情報を受け取った旨の通知を受けた際に、外部出力モード管理部２０２に対して、設定されているモードの問い合わせを行う。また、画面制御部２０６は、問い合わせた結果、外部出力モードが設定されている場合には、パラメータ変更部２０７に対して、外部表示装置１０４に表示するために、ウェブ画面の画面サイズを示すパラメータの変更を指示するとともに、イメージバッファ２１２に書き込まれるデータを通信部２１４へ出力するように制御する。また、画面制御部２０６は、問い合わせた結果、通常出力モードが設定されている場合には、パラメータ変更部２０７に対して、パラメータの変更を指示せずに、イメージバッファ２１２に書き込まれるデータを表示部２１３へ出力するように制御する。また、画面制御部２０６は、ウェブ画面の一部のみを拡大表示する指示を受けたのか、またはウェブ画面全体を拡大表示する指示を受けたのかを外部出力モード管理部２０２に問い合わせる。また、画面制御部２０６は、指示に応じて、画面情報をイメージバッファ２１２から出力させるか、または画面情報とウェブ画面データとの合成データをイメージバッファ２１２から出力させる。
【００２４】
パラメータ変更部２０７は、画面制御部２０６の指示により、情報解析部２０４から入力したパーズ情報に画面生成部２５０では処理できない形式の情報が含まれているか否かを検出し、合わせて情報解析部２０４から入力したパーズ情報中の動画オブジェクトの有無を検出する。また、パラメータ変更部２０７は、情報解析部２０４から入力したパーズ情報中に、画面生成部２５０では処理できない形式の情報及び動画オブジェクトが含まれる場合には、動画オブジェクトに含まれているパラメータを、動画オブジェクトを外部表示装置１０４の表示画面に全面拡大表示するためのパラメータに変更する。そして、パラメータ変更部２０７は、変更後のパラメータが含まれる動画オブジェクトをプラグイン呼出部２０８へ出力し、イメージバッファ２１２の書き込み領域を画面制御部２０６及びプラグイン呼出部２０８へ出力する。また、パラメータ変更部２０７は、情報解析部２０４から入力したパーズ情報に画面生成部２５０では処理できない形式の情報が含まれているか否か、及び動画オブジェクトの有無に関わらず、情報解析部２０４から入力したパーズ情報をウェブ画面生成・記憶部２０９へ出力する。
【００２５】
プラグイン呼出部２０８は、パラメータ変更部２０７から受け取った、変更されたパラメータを含む動画オブジェクト及びイメージバッファ２１２の書込み領域をデータ処理部２１１へ出力することにより、データ処理部２１１を起動させる。
【００２６】
ウェブ画面生成・記憶部２０９は、パラメータ変更部２０７から入力したウェブ画面表示用情報の中で、画面生成部２５０で処理できるウェブ画面表示用情報に従ってウェブ画面データを生成して保持する。
【００２７】
出力画面生成部２１０は、ウェブ画面生成・記憶部２０９に保持されたウェブ画面データから表示部２１３に表示する領域を切り出してイメージバッファ２１２に書き込む。
【００２８】
データ処理部２１１は、プラグイン呼出部２０８から、変更されたパラメータを含む動画オブジェクトを取得する際に起動する。また、データ処理部２１１は、起動後、必要に応じて、データ取得部２１５に対して、ウェブサーバ１０１からのデータの取得を依頼する。また、データ処理部２１１は、プラグイン呼出部２０８から取得した動画オブジェクトに対する復号処理を行うとともに、必要に応じてデータ取得部２１５から取得したデータに対して復号処理を行って画面情報を生成する。この際に生成される画面情報は、変更されたパラメータによって特定される画面サイズの画面情報である。そして、データ処理部２１１は、生成した画面情報を、プラグイン呼出部２０８から取得したイメージバッファ２１２の書き込み領域に書き込む。
【００２９】
イメージバッファ２１２は、出力画面生成部２１０から入力したウェブ画面データ及びデータ処理部２１１から入力した画面情報を所定の領域に書き込む。また、イメージバッファ２１２は、画面制御部２０６の制御に従って、ウェブ画面データ、画面情報、または、ウェブ画面データと画面情報とを合成した合成データを表示部２１３または通信部２１４へ出力する。
【００３０】
表示部２１３は、外部表示装置１０４の表示面よりも小さい表示領域の表示面を有し、イメージバッファ２１２に書き込まれたウェブ画面データの画像、画面情報の画像、またはウェブ画面データと画面情報とを合成した合成データの画像を表示する。
【００３１】
通信部２１４は、イメージバッファ２１２に書き込まれたウェブ画面データ、画面情報、またはウェブ画面データと画面情報とを合成した合成データを外部表示装置１０４へ出力する。
【００３２】
データ取得部２１５は、データ処理部２１１からの依頼を受けて、ウェブサーバ１０１からデータを取得し、取得したデータをデータ処理部２１１へ出力する。なお、図２では、データ取得部２１５は、情報取得部２０３と分離した構成となっているが、実装においては、情報取得部２０３の中にあっても良い。
【００３３】
次に、通信システム１００におけるデータ処理方法について、図１及び図２を用いて説明する。
【００３４】
ユーザは、通常、端末装置１０３を利用しており、ウェブサーバ１０１から取得した情報は端末装置１０３の表示部２１３に表示される。端末装置１０３がネットワーク１０２に接続し、ウェブサーバ１０１にアクセスできる限り、ユーザの位置にかかわらず、ユーザはウェブ画面を閲覧することができる。ユーザが移動することにより外部表示装置１０４が利用できる状況になると、ユーザが指定したウェブ画面の全部または一部を外部表示装置１０４に拡大表示して見ることができるようになる。このとき、例えば、端末装置１０３の表示部２１３には元のウェブ画面が表示されるとともに、外部表示装置１０４には表示部２１３に表示されるウェブ画面の一部を拡大表示した画面が表示され、両方のディスプレイに異なる情報が表示されることになる。
【００３５】
次に、端末装置１０３が動画共有サービスにアクセスした場合の端末装置１０３の動作について説明する。ここで、動画共有サービスとは、第三者があらかじめサーバにアップロードしてサーバに蓄積されたデータを、サーバにアクセスしたユーザが自由に選択してストリーミングで視聴することができるサービスである。
【００３６】
端末装置１０３の入力部２０１は、ウェブサーバ１０１からウェブ画面表示用情報を取得する指示をユーザから受けることにより、受け取った指示を入力情報として情報取得部２０３へ出力する。
【００３７】
情報取得部２０３は、入力情報による指示を受けて、ウェブサーバ１０１からウェブ画面表示用情報を取得する。
【００３８】
情報解析部２０４は、情報取得部２０３から入力したウェブ画面表示用情報をパーズしてパーズ情報を生成する。
【００３９】
この後の端末装置１０３の動作については、図３を用いて説明する。図３は、端末装置１０３が動画共有サービスにアクセスした場合の端末装置１０３の動作を示すフロー図である。
【００４０】
パラメータ変更部２０７は、情報解析部２０４からパーズ情報を取得すると（ステップＳＴ３０１）、画面制御部２０６は、外部出力モード管理部２０２に出力モードの問い合わせを行う（ステップＳＴ３０２）。
【００４１】
問い合わせの結果、外部出力モード管理部２０２において、外部出力モードが設定されている場合（ステップＳＴ３０２：「外部出力モード」）に、画面制御部２０６は、パラメータ変更部２０７に対して、パラメータ変更処理通知を出力することにより、パラメータ変更処理を指示する（ステップＳＴ３０３）。
【００４２】
次に、パラメータ変更部２０７は、パーズ情報の中に画面生成部２５０では処理ができない形式の情報が含まれているか否か、即ちデータ処理部２１１でのデータ処理が必要であるか否かを判定する（ステップＳＴ３０４）。
【００４３】
データ処理が必要な場合（ステップＳＴ３０４：Ｙｅｓ）には、パラメータ変更部２０７は、パーズ情報中の動画オブジェクトの有無を判定する（ステップＳＴ３０５）。
【００４４】
動画オブジェクトが含まれる場合（ステップＳＴ３０５：Ｙｅｓ）には、パラメータ変更部２０７は、動画オブジェクトに含まれているパラメータを、外部表示装置１０４の表示部に動画を全画面拡大表示可能なパラメータに変更する（ステップＳＴ３０６）。
【００４５】
次に、パラメータ変更部２０７は、変更後のパラメータが含まれる動画オブジェクト及びイメージバッファ２１２の書き込み領域をプラグイン呼出部２０８へ出力する。この場合、イメージバッファ２１２の書込み領域とは、外部表示装置の表示領域の全領域となる。
【００４６】
プラグイン呼出部２０８は、パラメータ変更部２０７から取得した、変更されたパラメータを含む動画オブジェクト及びイメージバッファの書込み領域をデータ処理部２１１に通知して、データ処理部２１１を起動する（ステップＳＴ３０７）。この場合、画面生成部２５０では、ウェブ画面は生成されない。そして、データ処理部２１１は、プラグイン呼出部２０８から取得した動画オブジェクトに対する復号処理を行って画面情報を生成する。
【００４７】
また、データ処理部２１１は、生成した画面情報をイメージバッファ２１２に書き込んでステップＳＴ３０９に処理を進める。
【００４８】
一方、ステップＳＴ３０５において、パーズ情報中に動画オブジェクトが存在しない場合（ステップＳＴ３０５：Ｎｏ）には、パラメータ変更部２０７は、パラメータを含む動画オブジェクト以外のオブジェクト及びイメージバッファ２１２の書込み領域をプラグイン呼出部２０８に出力する。プラグイン呼出部２０８は、データ処理部２１１に対して、パラメータを含むオブジェクト及びイメージバッファ２１２の書込み領域を通知して、データ処理部２１１を起動する（ステップＳＴ３０８）。そして、データ処理部２１１は、データ取得部２１５を介してウェブサーバ１０１から動画データを取得し、取得した動画データに対する復号処理を行って画面情報を生成し、生成した画面情報をイメージバッファ２１２に書き込んでステップＳＴ３０９に処理を進める。
【００４９】
また、ステップＳＴ３０４において、データ処理が不要な場合（ステップＳＴ３０４：Ｎｏ）、ステップＳＴ３０９に処理を進める。
【００５０】
ウェブ画面生成・記憶部２０９は、ウェブ画面を生成して保持する（ステップＳＴ３０９）。
【００５１】
次に、出力画面生成部２１０は、ウェブ画面生成・記憶部２０９に保持されたウェブ画面から表示部２１３に表示される領域を切り出して抽出し（ステップＳＴ３１０）、イメージバッファ２１２に書き込む。この際、イメージバッファ２１２の領域とは、データ処理部２１１が書込むために割当てた領域を除いた領域となる。
【００５２】
イメージバッファ２１２は、データ処理部２１１で生成された画面情報が書き込まれている場合には、書き込まれた画面情報、または書き込まれた画面情報と書き込まれたウェブ画面とを合成した合成データを通信部２１４に出力し、通信部２１４は画面情報または合成データを外部表示装置１０４に出力する（ステップＳＴ３１１）。また、イメージバッファ２１２は、データ処理部２１１で生成された画面情報が書き込まれていない場合には、書き込まれたウェブ画面を通信部２１４に出力し、通信部２１４はウェブ画面を外部表示装置１０４に出力する（ステップＳＴ３１１）。
【００５３】
以上のような画面生成部２５０の動作により、端末装置１０３が動画共有サービスにアクセスした場合に、動画オブジェクト等の特定のオブジェクトのみが抽出されて、拡大されて外部表示装置１０４に表示されるようになる。
【００５４】
一方、ステップＳＴ３０２において、問い合わせの結果、外部出力モード管理部２０２において、通常出力モードが設定されている場合（ステップＳＴ３０２：「通常出力モード」）に、パラメータ変更部２０７は、パーズ情報の中に画面生成部２５０では処理ができない形式の情報が含まれているか否か、即ちデータ処理部２１１でのデータ処理が必要であるか否かを判定する（ステップＳＴ３１２）。
【００５５】
データ処理が必要な場合（ステップＳＴ３１２：Ｙｅｓ）には、パラメータ変更部２０７は、パラメータを変更せずに、パラメータを含むオブジェクト及びイメージバッファ２１２の書込み領域をプラグイン呼出部２０８に出力する。プラグイン呼出部２０８は、パラメータを含むオブジェクト及びイメージバッファ２１２の書込み領域をデータ処理部２１１に通知して、データ処理部２１１を起動する（ステップＳＴ３１３）。そして、データ処理部２１１は、プラグイン呼出部２０８から取得したオブジェクトに対する復号処理を行って画面情報を生成し、生成した画面情報をイメージバッファ２１２に書き込んでステップＳＴ３１４に処理を進める。また、プラグイン呼出部２０８から取得したオブジェクトに動画オブジェクトが含まれていない場合には、データ処理部２１１は、データ取得部２１５を介してウェブサーバ１０１から動画データを取得する。
【００５６】
一方、ステップＳＴ３１２において、データ処理が不要な場合（ステップＳＴ３１２：Ｎｏ）には、ステップＳＴ３１４に処理を進める。
【００５７】
次に、ウェブ画面生成・記憶部２０９は、パーズ情報中で、画面生成部２５０で処理できる情報を用いてウェブ画面を生成して保持する（ステップＳＴ３１４）。
【００５８】
次に、出力画面生成部２１０は、ウェブ画面生成・記憶部２０９に保持されたウェブ画面から表示部２１３に表示される領域を切り出し、イメージバッファ２１２に書き込む（ステップＳＴ３１５）。
【００５９】
次に、イメージバッファ２１２は、データ処理部２１１で生成された画面情報が書き込まれている場合には、書き込まれた画面情報、または書き込まれた画面情報と書き込まれたウェブ画面とを合成した合成データを表示部２１３に出力する（ステップＳＴ３１６）。また、イメージバッファ２１２は、データ処理部２１１で生成された画面情報が書き込まれていない場合には、書き込まれたウェブ画面を表示部２１３に出力する（ステップＳＴ３１６）。
【００６０】
以上で、図３の説明を終了する。
【００６１】
図４は、動画を含むウェブページのデータの抜粋を示す図であり、Ｗ３Ｃで標準化されたＨＴＭＬまたはＸＨＴＭＬに準拠するものである。即ち、図４は、ウェブ画面表示用情報の一部を示すものである。
【００６２】
図４において、タグ４０１はＯＢＪＥＣＴタグである。コンテンツのクラスＩＤをＣＬＡＳＳＩＤ属性で指定する。クラスＩＤとは、アプリケーションを一意に区別するＩＤである。ＷＩＤＴＨ属性、ＨＥＩＧＨＴ属性は、それぞれ表示領域の横と縦の長さを指定する。タグ４０２は、出力する動画ファイルのアドレスを指定する。タグ４０３及びタグ４０４は、再生方法のパラメータである。そして、タグ４０５はＥＭＢＥＤタグである。ＥＭＢＥＤタグとは、オブジェクトをウェブページに張り付けることを指定するためのタグであり、オブジェクトの表示方法について規定する。ＳＲＣ属性で出力する動画ファイルの名称、ＷＩＤＴＨ属性とＨＥＩＧＨＴ属性で表示領域の横と縦の長さ、ＬＯＯＰ属性とＱＵＡＬＩＴＹ属性で再生方法、ＴＹＰＥ属性でＭＩＭＥタイプを指定する。ＭＩＭＥタイプとは、コンテンツの種類や符号化形式などを規定するものである。図４では、ＭＰＥＧ形式の動画の場合を示しているが、他の動画形式であってもよい。タグ４０６とタグ４０７は、それぞれＥＭＢＥＤの記述の終了を示すタグと、ＯＢＪＥＣＴの記述の終了を示すタグである。図４に示すように、タグ４０１とタグ４０７によりオブジェクトが構成される。なお、図４では、１つのオブジェクトのみを示したが、実際には、ウェブ画面表示用情報は、複数のオブジェクトから構成される。
【００６３】
パラメータ変更部２０７は、上記クラスＩＤとＭＩＭＥタイプを予め記憶しており、タグ４０１のＯＢＪＥＣＴタグ内のＣＬＡＳＳＩＤ属性から画面生成部２５０では処理ができない形式の情報が含まれているか否かを判断する。さらに、パラメータ変更部２０７は、予め記憶した動画のクラスＩＤとＭＩＭＥタイプを比較し、一致するクラスＩＤまたはＭＩＭＥタイプがあれば、取得したウェブページに動画が含まれると判定する。ＭＩＭＥタイプではｖｉｄｅｏ/ｍｐｅｇのようなｖｉｄｅｏタイプ、ａｐｐｌｉｃａｔｉｏｎタイプの一部が動画にあたる。
【００６４】
図５は、図４に示した動画を含むウェブページを外部表示装置１０４の表示部に全画面表示するために、パラメータ変更部２０７がパラメータを変更した後のデータを示す図である。
【００６５】
具体的には、パラメータ変更部２０７は、ＥＭＢＥＤタグであるタグ４０５をタグ５０１に変更するものであり、ＥＭＢＥＤタグのＷＩＤＴＨ属性、ＨＥＩＧＨＴ属性に、それぞれ外部表示装置１０４の表示領域の横と縦の長さを指定する。外部表示装置１０４の表示領域については、端末装置１０３と外部表示装置１０４との通信が可能になった際、画面生成部２５０は、通信部２１４を介して外部表示装置１０４と通信を行い、予め内部に保持している。
【００６６】
パラメータ変更部２０７からデータ処理部２１１に渡すパラメータの記載方法は、ブラウザの実装によって異なるが、本実施の形態のプラグイン呼出部２０８は、ＥＭＢＥＤタグの内容に基づいて、データ処理部２１１を起動するものであるので、ＥＭＢＥＤタグのＷＩＤＴＨ属性とＨＥＩＧＨＴ属性のみを変更すれば良い。
【００６７】
図６（ａ）は、表示部２１３に表示されるウェブ画面６１０を示す図であり、一般的な動画共有サービスにアクセスした場合に提供されるウェブ画面６１０を示している。また、図６（ｂ）は、外部表示装置１０４に表示される画面を示す図である。
【００６８】
図６（ａ）より、エリア６０１は、ウェブ画面６１０の一部の画面であり、動画の画面エリアである。また、エリア６０１は、データ処理部２１１にて復号処理等のデータ処理により動画の再生を行うエリアである。エリア６０２は、テキストエリアであり、エリア６０１で再生される動画の説明や、エリア６０１で再生される動画を視聴した他のユーザからのコメントなどが記載される。また、エリア６０３は、エリア６０１で再生される動画に関連する他のお勧めの動画表示エリアである。ユーザは、エリア６０３にお勧め動画のリストが表示されることにより、無数に存在する動画の中から好みの動画を容易に選択できる。
【００６９】
また、図６（ｂ）に示すように、外部表示装置１０４は、端末装置１０３の表示部２１３に表示されるウェブ画面の一部であるエリア６０１に表示される動画を拡大して表示する。
【００７０】
ユーザは、エリア６０１の動画を外部表示装置１０４に拡大表示して再生することにより、大画面で再生される動画を見ながら、エリア６０３に表示される、外部表示装置１０４で再生する動画の説明や、外部表示装置１０４で再生する動画を視聴した他のユーザからのコメントなどを同時に読むことができる。また、ユーザは、外部表示装置１０４の大画面で再生される動画を見ながら、次に再生したい動画をエリア６０３から選択することができる。エリア６０３のお勧め動画のリストには、動画コンテンツへのリンク情報が埋め込まれている。すなわち、ユーザが次に視聴したいリストをクリックして選択することにより、エリア６０１は書き換えられて、選択した動画コンテンツがエリア６０１で再生される。
【００７１】
エリア６０３のお勧め動画のリストを外部表示装置１０４において再生するためには、リストの選択の際に外部出力モードであることを端末装置１０３に認識させるための仕組みが必要である。すなわち、後述するように、通常モードと外部出力モードとで、ウェブ画面中のリンク情報のリンク先の選択の方法を変えることにより、端末装置１０３は、通常モードと外部出力モードを区別することができる。
【００７２】
なお、図６（ａ）及び図６（ｂ）に示したものは、一例であり、このほかにもブログの記事を読みながら、気になった写真を外部表示装置１０４に拡大表示することなども使い方として考えられる。
【００７３】
次に、ウェブ画面中のリンク情報のリンク先の画面を表示する際の端末装置１０３の動作について、図７のフロー図を用いて説明する。図７は、ウェブ画面中のリンク情報のリンク先の画面を表示する際の端末装置１０３の動作を示すフロー図である。
【００７４】
端末装置１０３の表示部２１３にウェブ画面を表示している状態が初期状態である（スタート）。
【００７５】
最初に、端末装置１０３は、表示部２１３に表示されているウェブ画面中のリンク情報が選択されることにより、ウェブサーバ１０１から新たなウェブ画面表示用情報を取得し、表示部２１３の画面表示を次のウェブ画面へと書き換えることができる。ユーザは、リンク情報を選択するに際して、選択するリンク情報に相当する新たなウェブ画面表示用情報を端末装置１０３の表示部２１３を書き換えて表示するか、または外部表示装置１０４に拡大して表示するかを選択することができる。
【００７６】
端末装置１０３の入力部２０１は、外部から入力情報を受け付けて、受け付けた入力情報を外部出力モード管理部２０２に通知する。
【００７７】
入力情報を受け取った外部出力モード管理部２０２は、入力情報を用いて、外部表示装置１０４へ出力するモードである外部出力モードが選択されたか否かを判定する（ステップＳＴ７０１）。
【００７８】
外部出力モードが選択されたと判定した場合（ステップＳＴ７０１：Ｙｅｓ）には、外部出力モード管理部２０２は、外部出力モードを設定する（ステップＳＴ７０２）。
【００７９】
また、ステップＳＴ７０１において、外部出力モードが選択されない場合（ステップＳＴ７０１：Ｎｏ）には、端末装置１０３は、ステップＳＴ７０３に処理を進める。
【００８０】
次に、入力部２０１は、表示部２１３に表示される初期状態のウェブ画面中のリンク情報を選択する外部からの入力を受け取った際に（ステップＳＴ７０３）、入力情報を情報取得部２０３に出力する。端末装置１０３の情報取得部２０３は、記憶部２０５に記憶（キャッシュ）されているＨＴＭＬ等のウェブ画面表示用情報の中から、入力情報のＵＲＬを取得し、取得したＵＲＬに基づきウェブサーバ１０１から新たなウェブ画面表示用情報を取得する（ステップＳＴ７０４）。
【００８１】
次に、情報取得部２０３は、取得したウェブ画面表示用情報を情報解析部２０４に出力し、情報解析部２０４は、受け取ったウェブ画面表示用情報を解析してパーズしてパラメータ変更部２０７へ出力する（ステップＳＴ７０５）。この際、情報解析部２０４は、外部出力モード管理部２０２に問い合わせを行い、問い合わせた結果が外部出力モードである場合には、記憶部２０５において、初期状態のウェブ画面の記憶領域とは別に新しい記憶領域を確保して、パーズ情報を記憶部２０５の確保した新しい記憶領域に書き込む。画面制御部２０６は、外部出力モード管理部２０２に問い合わせを行い、外部出力モードに設定されているか否かの判断を行う（ステップＳＴ７０６）。
【００８２】
外部出力モードに設定されている場合（ステップＳＴ７０６：Ｙｅｓ）には、ウェブ画面生成・記憶部２０９は、情報解析部２０４でパーズされたパーズ情報に基づき、外部表示装置１０４に表示するウェブ画面を生成し、イメージバッファ２１２に書き込む。この際、書き込まれるイメージバッファ２１２の領域とは、初期状態である端末装置１０３の表示部２１３に表示されるウェブ画面のためのイメージバッファ２１２の領域とは全く異なるものであり、端末装置１０３の表示部２１３に表示されているウェブ画面は影響を受けない。パラメータ変更部２０７は、パーズされた情報の中に、画面生成部２５０では処理できない形式の情報が含まれているか否か、即ちデータ処理部２１１でのデータ処理が必要であるか否かを判定する（ステップＳＴ７０７）。
【００８３】
データ処理部２１１でのデータ処理が必要であると判定した場合（ステップＳＴ７０７：Ｙｅｓ）には、パラメータ変更部２０７は、外部表示装置１０４の表示画面に応じたパラメータの変更を行う（ステップＳＴ７０８）。
【００８４】
次に、プラグイン呼出部２０８は、データ処理部２１１を起動させて（ステップＳＴ７０９）、イメージバッファ２１２の書込み領域と、変更されたパラメータを含むデータ処理に必要な各種パラメータをデータ処理部２１１に通知する。
【００８５】
また、データ処理部２１１は、必要に応じて、データ取得部２１５を介してウェブサーバ１０１から動画データを取得し、取得した動画データに対して復号処理を行って動画の再生を開始する（ステップＳＴ７１０）。また、データ処理部２１１は、イメージバッファ２１２の指定された領域に画面情報を書き込む。
【００８６】
また、イメージバッファ２１２は、データ処理部２１１から書き込まれた画面情報、または出力画面生成部２１０から書き込まれたウェブ画面データとデータ処理部２１１から書き込まれた画面情報とを合成した合成データを通信部２１４に出力する。そして、通信部２１４は、画面情報または合成データを外部表示装置１０４に出力することにより、外部表示装置１０４に画面表示を行う（ステップＳＴ７１１）。
【００８７】
また、ステップＳＴ７０７において、データ処理部２１１でのデータ処理が不要であると判定した場合（ステップＳＴ７０７：Ｎｏ）には、出力画面生成部２１０は、ウェブ画面生成・記憶部２０９で生成したウェブ画面を切り出してイメージバッファ２１２の指定された領域に書き込む。そして、イメージバッファ２１２は、書き込まれたウェブ画面を通信部２１４に出力し、通信部２１４は、外部表示装置１０４にウェブ画面を出力することにより、外部表示装置１０４は画面表示を行う（ステップＳＴ７１１）。
【００８８】
一方、ステップＳＴ７０６において、外部出力モードでない場合（ステップＳＴ７０６：Ｎｏ）には、パラメータ変更部２０７は、パーズされたパーズ情報の中に、画面生成部２５０では処理できない形式の情報が含まれているか否か、即ちデータ処理部２１１でのデータ処理が必要であるか否かを判定する（ステップＳＴ７１２）。
【００８９】
データ処理部２１１でのデータ処理が必要であると判定した場合（ステップＳＴ７１２：Ｙｅｓ）には、プラグイン呼出部２０８は、データ処理部２１１を起動させて（ステップＳＴ７１３）、イメージバッファ２１２の書込み領域と、データ処理に必要な各種パラメータを変更せずにデータ処理部２１１に通知する。
【００９０】
また、データ処理部２１１は、必要に応じて、データ取得部２１５を介してウェブサーバ１０１から動画データを取得し、取得した動画データに対して復号処理を行って動画の再生を開始する（ステップＳＴ７１４）。また、データ処理部２１１は、イメージバッファ２１２の指定された領域に生成した画面情報を書き込む。
【００９１】
次に、イメージバッファ２１２は、データ処理部２１１から書き込まれた画面情報、または、出力画面生成部２１０から書き込まれたウェブ画面とデータ処理部２１１から書き込まれた画面情報とを合成した合成データを表示部２１３に出力することにより、表示部２１３に画面表示を行う（ステップＳＴ７１５）。
【００９２】
また、ステップＳＴ７１２において、データ処理部２１１でのデータ処理が不要であると判定した場合（ステップＳＴ７１２：Ｎｏ）には、出力画面生成部２１０は、ウェブ画面生成・記憶部２０９で生成したウェブ画面を切り出してイメージバッファ２１２の指定された領域に書き込む。そして、イメージバッファ２１２は、書き込まれたウェブ画面を表示部２１３に出力することにより、表示部２１３に画面表示を行う（ステップＳＴ７１５）。
【００９３】
以上のような動作により、表示部２１３に表示されたウェブ画面中のリンク情報を選択することにより、ウェブサーバ１０１から新たなウェブ画面表示用情報を取得し、次のウェブ画面へと画面表示を書き換える際に、ユーザは、ウェブ画面を端末装置１０３の表示部２１３を書き換えて表示するか、または外部表示装置１０４に拡大して表示するかを選択することができる。そして、新しいウェブ画面を外部表示装置１０４に拡大して表示する場合に、端末装置１０３の表示部２１３に表示されているウェブ画面は一切影響を受けずに保持される。
【００９４】
因みに、本実施の形態においては、ウェブ画面中からリンク情報を選択した場合についてリンク先のウェブ画面が外部表示装置１０４に表示される場合について説明したが、この際、リンク先が図６（ａ）に示す一般的な動画共有サービスで提供されるウェブ画面である場合には、外部表示装置１０４に表示される画面は、図６（ａ）ではなくて図６（ｂ）であることが望ましい。
【００９５】
以上で、ウェブ画面中のリンク情報のリンク先の画面を表示する際の端末装置１０３の動作の説明（図７の説明）を終了する。
【００９６】
次に、端末装置１０３の入力部２０１の構成について、図８及び図９を用いて説明する。図８及び図９は、端末装置１０３の構成を示す図である。
【００９７】
端末装置１０３は、筐体８０１と、筐体８０１の表面に露出する表示部８０２と、筐体８０１に筐体８０１から突出して設けられる入力部８０３から構成される。ここで、表示部８０２は、図２の表示部２１３に対応し、入力部８０３は、図２の入力部２０１に対応する。
【００９８】
入力部８０３は、ディスプレイ出力モード選択ボタンとして機能し、ユーザは入力部８０３を介してウェブ画面の出力の切り替えを行う。まず、通常のウェブ画面操作を行いたいときは、ユーザは特別な操作をする必要はなく、従来通りの使い方をすれば良い。一方、端末装置１０３から外部表示装置１０４へのウェブ画面の出力を行いたい場合は、ユーザは、左手の人差し指で入力部８０３を押す等により入力部８０３の操作をしながら、右手を用いて表示部８０２に表示されるウェブ画面のリンク情報８０４の何れか一つをクリックして選択する。これにより、端末装置１０３は、図７で説明した処理を行って、ウェブ画面出力を表示部２１３から外部表示装置１０４に切り替える。
【００９９】
また、ユーザは、左手の人指し指で入力部８０３を押す等により入力部８０３の操作をしてウェブ画面出力を表示部２１３から外部表示装置１０４に切り替えた後に、右手を用いて表示部８０２に表示されるウェブ画面のリンク情報８０４の何れか一つをクリックして選択するようにしても良い。これにより、端末装置１０３は、図７で説明した処理を行って、ウェブ画面出力を表示部２１３から外部表示装置１０４に切り替える。なお、図８における筐体８０１に対する入力部８０３の配置は例示であり、必ずしもこれに限定されるものではない。
【０１００】
また、上記説明した操作は例示であり、本発明を実施する上で、通常操作と外部表示装置出力操作とが区別できる限り、これに限定されるものではない。以下に、考えられるウェブ画面のディスプレイ出力の使い分け操作について、その他の具体例を示す。
【０１０１】
一つ目の例は、ユーザの操作が上記とは少し異なるものである。すなわち、ディスプレイ出力モード選択ボタンである入力部はトグル状に、通常出力モードと、外部表示装置出力モードとが切り替わるようになっており、リンク情報が選択される際の出力モードに応じて、外部表示装置１０４に対するウェブ画面出力が行われる。現在設定されている出力モードは、ディスプレイやＬＥＤなどでユーザに通知される。このようにすることで、外部表示装置１０４への出力を多用する場合には、入力部のボタンを押す手間が省け、ユーザメリットがある。
【０１０２】
二つ目の例は、ディスプレイ出力モード選択ボタンとして機能する入力部をソフトウェアで実装したものであり、図９に示すように、表示部８０２の端部に入力部９０１が設けられる。入力部９０１の操作の仕方は、図８と同様である。また、本例の別な形態としては、入力部９０１が半透明であり、表示部８０２の画面領域の占有を回避するものである。
【０１０３】
三つ目の例は、入力部がタッチパネルの場合に、リンク情報を選択することにより、外部表示装置１０４への出力ボタンとして機能する入力部が画面上に表示されるものであり、表示された入力部を押すことにより、外部表示装置１０４に対するウェブ画面出力が行われる。
【０１０４】
入力部がタッチパネルである場合の基本的な動作として、まず、タッチしたというイベントを入力部は取得するが、この時点では、端末装置１０３は、リンク情報が選択されたとみなさない。タッチした指をタッチパネルから離した場合に、入力部が、タッチしたというイベントに続いて、離れたというイベントを取得し、これにより初めて端末装置１０３はリンク情報が選択されたものとして処理を行う。
【０１０５】
上記の三つ目の例ついて、端末装置の動作を、図１０を用いて説明する。図１０は、入力部が操作された際の端末装置の動作を示すフロー図である。なお、画面イメージとして、図９を用いて説明する。
【０１０６】
最初に、ユーザが表示部８０２に表示されるウェブ画面中のいずれかのリンク情報にタッチすると（ステップＳＴ１００１）、ディスプレイ出力モード選択ボタンとして機能する入力部９０１が表示部８０２に表示される（ステップＳＴ１００２）。
【０１０７】
なお、図９における入力部９０１の配置は例示であり、必ずしもこれに限定されるものではない。例えば、ユーザがタッチしたリンク情報の近傍に入力部９０１を表示するようにしても良い。
【０１０８】
表示された入力部９０１を押さずに（ステップＳＴ１００３：Ｎｏ）、指を表示部８０２から離すと（ステップＳＴ１００４）、リンク先のウェブ画面は端末装置８００の表示部８０２に表示される（ステップＳＴ１００５）。このとき、入力部９０１は、表示部８０２から消滅する（ステップＳＴ１００６）。
【０１０９】
一方、入力部９０１を押して（ステップＳＴ１００３：Ｙｅｓ）、指を表示部８０２から離すと（ステップＳＴ１００７）、リンク先のウェブ画面は外部表示装置１０４に表示される（ステップＳＴ１００８）。この場合も同様に、この後、入力部９０１は、表示部８０２から消滅する（ステップＳＴ１００６）。
【０１１０】
四つ目の例は、入力部がタッチパネルの場合に、リンク情報を選択することにより、外部表示装置１０４への出力アイコンである入力部が表示部に表示されるものであり、表示された入力部にタッチしたリンク情報をドラッグ＆ドロップすることより、外部表示装置１０４への出力がなされる。ここで、ドラッグ＆ドロップとは、タッチした指を表示部から離すことなく対象オブジェクト（この場合は、入力部）まで滑らせ、対象オブジェクト上で指を表示部から離す操作のことである。三つ目の例と比較すると、リンク情報の選択から外部表示装置１０４への出力操作までを、リンク情報を選択した１本の指だけを用いて完結することができるというメリットがある。なお、ドラッグ＆ドロップをすることなく、指を表示部から離した場合には、端末装置１０３の表示部２１３への出力となる。
【０１１１】
このように、本実施の形態によれば、オブジェクト単位でウェブ画面を外部表示装置に拡大表示させることが可能であり、ユーザの利便性を格段に向上させることができる。また、本実施の形態によれば、ウェブ画面を構成するオブジェクト単位で外部表示装置へ表示させることにより、ウェブ画面の一部を外部表示装置に表示させる等の使い勝手を向上させることができる。また、本実施の形態によれば、端末装置でウェブ画面を操作しているユーザが、通常のウェブ画面の操作を望む場合と、外部表示装置へのウェブ画面の表示を望む場合に、容易に使い分けることができるユーザインターフェイスを提供することができる。また、本実施の形態によれば、動画共有サイトの動画や、ブログ内で参照されている動画を外部表示装置に全画面で再生表示することにより、端末装置の通常のウェブ画面の操作を基本としつつ、外部表示装置が近隣に置かれた状態では、端末装置に表示しているウェブ画面の中の静止画・動画やリンク先情報を簡単な操作で外部表示装置に出力することを可能にすることができる。また、本実施の形態によれば、パーズ情報中から動画オブジェクトのみを抽出し、外部表示装置に表示するようにすることにより、動画オブジェクトのみを拡大して外部表示装置に表示することができる。また、この際、端末装置の表示部に表示されているウェブ画面は一切影響を受けずに保持されるので、ユーザは、ウェブ画面のテキスト情報などを読みながら大画面で高精細な動画を見ることができる。
【０１１２】
なお、本実施の形態において、動画オブジェクトに付与されるパラメータを変更したが、本発明はこれに限らず、動画オブジェクト以外の任意のオブジェクトに付与されるパラメータを変更することができる。
【０１１３】
次に、本実施の形態の別な態様について説明する。
【０１１４】
本実施の形態では、端末装置１０３で汎用的なブラウザが動作している場合について説明したが、本発明は、特定のウェブサーバまたは特定のウェブサービスにのみアクセスすることを目的としたネットワークアプリケーションを動作させる場合にも適用可能である。
【０１１５】
ここで、ネットワークアプリケーションとは、汎用的なブラウザのサブセットに相当し、予め定められた特定のウェブサイトにアクセスすることを前提としたアプリケーションのことである。一般的には、ウィジェットやガジェットと呼ばれることもある。通常の汎用的なブラウザは、起動した後に、アクセスしたいウェブサイトのＵＲＬを入力するか、もしくはリンクを選択する必要がある。一方、ネットワークアプリケーションは、アプリケーションを起動した直後に、特定のウェブサイトにアクセスした状態が得られるので、ユーザの手間が少ないという利点がある。また、ネットワークアプリケーションには、特定のウェブサイトを利用するのに最適なユーザインターフェイスが用意されているので、操作がし易いという利点もある。
【０１１６】
動画共有サービスを利用するためのネットワークアプリケーションとしては、YouTubeプレーヤなどが知られている。YouTubeプレーヤは、動画共有サービスの一つであるYouTubeのウェブサイトにアクセスし、動画コンテンツを選択して視聴するための専用アプリケーションである。
【０１１７】
本実施の形態の別な態様は、上記説明したようなネットワークアプリケーションが動作することにより、端末装置１０３の表示部２１３に表示される動画を外部表示装置１０４にて全画面再生表示することができる。
【０１１８】
本実施の形態の別な態様における端末装置１０３の構成は図２の構成と略同一である。上述したようにネットワークアプリケーションは、ブラウザのサブセットであるため、端末装置１０３の一部の構成は不要になり、一部の構成の機能は限定される。具体的には、情報取得部２０３は、特定のウェブサーバからウェブ画面表示用情報を取得するだけでよい。また、情報解析部２０４は、接続するウェブサイトがあらかじめ分かっているので、接続するウェブサイトのウェブ画面表示用情報のみ解析することができれば十分である。同様に、データ処理部２１１は、接続するウェブサイトで用いられるデータ形式だけ処理することができれば良く、プラグイン呼出部２０８と統合されて画面生成部２５０の中に配置される。
【０１１９】
また、本実施の形態の別な態様における端末装置１０３の動作は、図３と同一である。
【０１２０】
このように、本実施の形態の別な態様によれば、ネットワークアプリケーション画面を外部表示装置に拡大表示させることが可能であり、ユーザの利便性を格段に向上させることができる。また、端末装置でネットワークアプリケーション画面を操作しているユーザが、通常のアプリケーション画面の操作を望む場合と、外部表示装置へのアプリケーション画面の表示を望む場合に、容易に使い分けることができるユーザインターフェイスを提供することができる。
【産業上の利用可能性】
【０１２１】
本発明にかかる端末装置及びデータ処理方法は、特に外部の表示装置と接続して外部の表示装置に画面を表示させるのに好適である。
【図面の簡単な説明】
【０１２２】
【図１】本発明の実施の形態に係る通信システムを示す図
【図２】本発明の実施の形態に係る端末装置の構成を示すブロック図
【図３】本発明の実施の形態に係る端末装置が動画共有サービスにアクセスした場合の端末装置の動作を示すフロー図
【図４】本発明の実施の形態に係る動画を含むページのウェブページのデータの抜粋を示す図
【図５】本発明の実施の形態に係る動画を含むウェブページを外部表示装置の表示部に全画面表示するために、パラメータ変更部がパラメータを変更した後のデータを示す図
【図６】本発明の実施の形態に係る表示部または外部表示装置に表示される画面を示す図
【図７】本発明の実施の形態に係るウェブ画面中のリンク情報のリンク先の画面を表示する際の端末装置の動作を示すフロー図
【図８】本発明の実施の形態に係る端末装置の構成を示す図
【図９】本発明の実施の形態に係る端末装置の構成を示す図
【図１０】本発明の実施の形態に係る入力部が操作された際の端末装置の動作を示すフロー図
【符号の説明】
【０１２３】
１００  通信システム
１０１  ウェブサーバ
１０２  ネットワーク
１０３  端末装置
１０４  外部表示装置
２０１  入力部
２０２  外部出力モード管理部
２０３  情報取得部
２０４  情報解析部
２０５  記憶部
２０６  画面制御部
２０７  パラメータ変更部
２０８  プラグイン呼出部
２０９  ウェブ画面生成・記憶部
２１０  出力画面生成部
２１１  データ処理部
２１２  イメージバッファ
２１３  表示部
２１４  通信部
２１５  データ取得部
２５０  画面生成部
【図１】
2010009516.tif 000003
【図２】
2010009516.tif 000004
【図３】
2010009516.tif 000005
【図４】
2010009516.tif 000006
【図５】
2010009516.tif 000007
【図６】
2010009516.tif 000008
【図７】
2010009516.tif 000009
【図８】
2010009516.tif 000010
【図９】
2010009516.tif 000011
【図１０】
2010009516.tif 000012